【手続補正書】
【提出日】平成24年11月16日(2012.11.16)
【手続補正１】
【補正対象書類名】特許請求の範囲
【補正対象項目名】全文
【補正方法】変更
【補正の内容】
【特許請求の範囲】
【請求項１】
広告表示領域を含む表示データをネットワークを介して端末装置へ提供する情報提供装置であって、
前記広告表示領域に含まれる部分領域を特定するための部分領域特定情報と、商取引対象物を提供する提供者を特定するための提供者特定情報と、を前記部分領域毎に対応付けて記憶する部分領域情報記憶手段と、
一つの広告コンテンツが表示される一つの前記広告表示領域を含む表示データを前記端末装置に送信する送信手段と、
前記広告表示領域における指定された位置情報を前記端末装置から取得する位置情報取得手段と、
前記取得された位置情報を含む前記部分領域を特定する部分領域特定手段と、
前記部分領域特定手段により特定された部分領域に対応する部分領域特定情報に基づいて前記提供者を特定し、該特定された提供者に対応する情報の前記端末装置への送信制御を行う制御手段と、
を備えることを特徴とする情報提供装置。
【請求項２】
請求項１に記載の情報提供装置において、
前記広告表示領域を利用するための利用料金に基づいて前記部分領域を提供者毎に割当てる領域割当手段を備えることを特徴とする情報提供装置。
【請求項３】
請求項２に記載の情報提供装置において、
前記部分領域の指定回数を前記部分領域毎に記憶する指定回数記憶手段
を備え、
前記領域割当手段は、前記指定回数記憶手段に記憶されている部分領域毎の指定回数を比較し、前記指定回数が相対的に多い部分領域に前記利用料金の入札額が相対的に大きい前記提供者を割当てることを特徴とする情報提供装置。
【請求項４】
請求項１乃至３の何れか一項に記載の情報提供装置において、
所定の条件に基づいて、前記部分領域に割当てられた提供者を変更する割当変更手段を備えることを特徴とする情報提供装置。
【請求項５】
請求項４に記載の情報提供装置において、
前記部分領域の指定回数を前記部分領域毎に記憶する指定回数記憶手段を備え、
前記割当変更手段は、前記指定回数が閾値を超えた部分領域に割当てられた提供者を変更することを特徴とする情報提供装置。
【請求項６】
請求項１乃至５の何れか一項に記載の情報提供装置において、
前記広告コンテンツは、前記広告表示領域と同サイズの画像であることを特徴とする情報提供装置。
【請求項７】
請求項１乃至６の何れか一項に記載の情報提供装置において、
各前記部分領域は、複数ピクセル単位からなるドット領域の集合からなり、少なくとも２つの前記部分領域に対応するドット領域の配分率が互いに異なることを特徴とする情報提供装置。
【請求項８】
広告表示領域を含む表示データをネットワークを介して端末装置へ提供するコンピュータにより実行される情報提供方法であって、
前記広告表示領域に含まれる部分領域を特定するための部分領域特定情報と、商取引対象物を提供する提供者を特定するための提供者特定情報と、を前記部分領域毎に対応付けて記憶するステップと、
一つの広告コンテンツが表示される一つの前記広告表示領域を含む表示データを前記端末装置に送信するステップと、
前記広告表示領域における指定された位置情報を前記端末装置から取得するステップと、
前記取得された位置情報を含む前記部分領域を特定するステップと、
前記部分領域特定手段により特定された部分領域に対応する部分領域特定情報に基づいて前記提供者を特定し、該特定された提供者に対応する情報の前記端末装置への送信制御を行うステップと、
を含むことを特徴とする情報提供方法。
【請求項９】
広告表示領域を含む表示データをネットワークを介して端末装置へ提供するコンピュータを、
前記広告表示領域に含まれる部分領域を特定するための部分領域特定情報と、商取引対象物を提供する提供者を特定するための提供者特定情報と、を前記部分領域毎に対応付けて記憶する部分領域情報記憶手段と、
一つの広告コンテンツが表示される一つの前記広告表示領域を含む表示データを前記端末装置に送信する送信手段と、
前記広告表示領域における指定された位置情報を前記端末装置から取得する位置情報取得手段と、
前記取得された位置情報を含む前記部分領域を特定する部分領域特定手段と、
前記部分領域特定手段により特定された部分領域に対応する部分領域特定情報に基づいて前記提供者を特定し、該特定された提供者に対応する情報の前記端末装置への送信制御を行う制御手段として機能させることを特徴とする情報提供プログラム。
【請求項１０】
広告表示領域を含む表示データをネットワークを介して端末装置へ提供するコンピュータを、
前記広告表示領域に含まれる部分領域を特定するための部分領域特定情報と、商取引対象物を提供する提供者を特定するための提供者特定情報と、を前記部分領域毎に対応付けて記憶する部分領域情報記憶手段と、
一つの広告コンテンツが表示される一つの前記広告表示領域を含む表示データを前記端末装置に送信する送信手段と、
前記広告表示領域における指定された位置情報を前記端末装置から取得する位置情報取得手段と、
前記取得された位置情報を含む前記部分領域を特定する部分領域特定手段と、
前記部分領域特定手段により特定された部分領域に対応する部分領域特定情報に基づいて前記提供者を特定し、該特定された提供者に対応する情報の前記端末装置への送信制御を行う制御手段として機能させることを特徴とする情報提供プログラムが記録された記録媒体。
【手続補正２】
【補正対象書類名】明細書
【補正対象項目名】０００８
【補正方法】変更
【補正の内容】
【０００８】
上記課題を解決するために、請求項１に記載の発明は、広告表示領域を含む表示データをネットワークを介して端末装置へ提供する情報提供装置であって、前記広告表示領域に含まれる部分領域を特定するための部分領域特定情報と、商取引対象物を提供する提供者を特定するための提供者特定情報と、を前記部分領域毎に対応付けて記憶する部分領域情報記憶手段と、一つの広告コンテンツが表示される一つの前記広告表示領域を含む表示データを前記端末装置に送信する送信手段と、前記広告表示領域における指定された位置情報を前記端末装置から取得する位置情報取得手段と、前記取得された位置情報を含む前記部分領域を特定する部分領域特定手段と、前記部分領域特定手段により特定された部分領域に対応する部分領域特定情報に基づいて前記提供者を特定し、該特定された提供者に対応する情報の前記端末装置への送信制御を行う制御手段と、を備えることを特徴とする。
【手続補正３】
【補正対象書類名】明細書
【補正対象項目名】００１７
【補正方法】変更
【補正の内容】
【００１７】
この発明によれば、閾値を超えた部分領域以外の部分領域に割当てられていた提供者に対応する情報についても表示され易くすることができる。請求項６に記載の発明は、請求項１乃至５の何れか一項に記載の情報提供装置において、前記広告コンテンツは、前記広告表示領域と同サイズの画像であることを特徴とする。請求項７に記載の発明は、請求項１乃至６の何れか一項に記載の情報提供装置において、各前記部分領域は、複数ピクセル単位からなるドット領域の集合からなり、少なくとも２つの前記部分領域に対応するドット領域の配分率が互いに異なることを特徴とする。
【手続補正４】
【補正対象書類名】明細書
【補正対象項目名】００１８
【補正方法】変更
【補正の内容】
【００１８】
請求項８に記載の発明は、広告表示領域を含む表示データをネットワークを介して端末装置へ提供するコンピュータにより実行される情報提供方法であって、前記広告表示領域に含まれる部分領域を特定するための部分領域特定情報と、商取引対象物を提供する提供者を特定するための提供者特定情報と、を前記部分領域毎に対応付けて記憶するステップと、一つの広告コンテンツが表示される一つの前記広告表示領域を含む表示データを前記端末装置に送信するステップと、前記広告表示領域における指定された位置情報を前記端末装置から取得するステップと、前記取得された位置情報を含む前記部分領域を特定するステップと、前記部分領域特定手段により特定された部分領域に対応する部分領域特定情報に基づいて前記提供者を特定し、該特定された提供者に対応する情報の前記端末装置への送信制御を行うステップと、を含むことを特徴とする。
【手続補正５】
【補正対象書類名】明細書
【補正対象項目名】００１９
【補正方法】変更
【補正の内容】
【００１９】
請求項９に記載の発明は、広告表示領域を含む表示データをネットワークを介して端末装置へ提供するコンピュータを、前記広告表示領域に含まれる部分領域を特定するための部分領域特定情報と、商取引対象物を提供する提供者を特定するための提供者特定情報と、を前記部分領域毎に対応付けて記憶する部分領域情報記憶手段と、一つの広告コンテンツが表示される一つの前記広告表示領域を含む表示データを前記端末装置に送信する送信手段と、前記広告表示領域における指定された位置情報を前記端末装置から取得する位置情報取得手段と、前記取得された位置情報を含む前記部分領域を特定する部分領域特定手段と、前記部分領域特定手段により特定された部分領域に対応する部分領域特定情報に基づいて前記提供者を特定し、該特定された提供者に対応する情報の前記端末装置への送信制御を行う制御手段として機能させることを特徴とする情報提供プログラムである。
【手続補正６】
【補正対象書類名】明細書
【補正対象項目名】００２０
【補正方法】変更
【補正の内容】
【００２０】
請求項１０に記載の発明は、広告表示領域を含む表示データをネットワークを介して端末装置へ提供するコンピュータを、前記広告表示領域に含まれる部分領域を特定するための部分領域特定情報と、商取引対象物を提供する提供者を特定するための提供者特定情報と、を前記部分領域毎に対応付けて記憶する部分領域情報記憶手段と、一つの広告コンテンツが表示される一つの前記広告表示領域を含む表示データを前記端末装置に送信する送信手段と、前記広告表示領域における指定された位置情報を前記端末装置から取得する位置情報取得手段と、前記取得された位置情報を含む前記部分領域を特定する部分領域特定手段と、前記部分領域特定手段により特定された部分領域に対応する部分領域特定情報に基づいて前記提供者を特定し、該特定された提供者に対応する情報の前記端末装置への送信制御を行う制御手段として機能させることを特徴とする情報提供プログラムが記録された記録媒体である。